(57)【要約】【課題】画像形成装置と用紙反転装置とを備えた画像形成システムにおいて、出力される用紙のカール方向を入力することにより、適切なカール矯正を実行する。【解決手段】用紙に画像を形成する画像形成装置と、前記用紙のカールを矯正する複数のデカーラと、前記用紙の表裏を反転して搬送する反転装置と、前記用紙の反転有無及び前記用紙のカール矯正方向に応じて前記複数のデカーラにおけるカール矯正方向を制御する制御部と、を有する画像形成システム。【選択図】図１
2014213970.tif 000002
【特許請求の範囲】
【請求項１】
用紙に画像を形成する画像形成装置と、
前記用紙のカールを矯正する複数のデカーラと、
前記用紙の表裏を反転して搬送する反転装置と、
前記用紙の反転有無及び前記用紙のカール矯正方向に応じて前記複数のデカーラにおけるカール矯正方向を制御する制御部と、
を有することを特徴とする画像形成システム。
【請求項２】
前記制御部は、前記用紙の反転有無、前記用紙のカール矯正方向、及び前記用紙のカール矯正強度に応じて、前記複数のデカーラのカール矯正方向及びカール矯正有無をそれぞれ制御する、
ことを特徴とする請求項１に記載の画像形成システム。
【請求項３】
前記複数のデカーラは、一定のカール矯正強度でカール矯正方向を切り替える機能をそれぞれ有する、
ことを特徴とする請求項２に記載の画像形成システム。
【請求項４】
前記制御部は、前記反転装置と前記複数のデカーラとの位置関係を考慮して、前記複数のデカーラにおけるカール矯正方向を制御する、
ことを特徴とする請求項１−３のいずれか一項に記載の画像形成システム。
【請求項５】
前記反転装置を画像形成システム内のいずれかの位置に複数備え、
前記制御部は、画像形成システム内における複数の前記反転装置の位置を考慮して、前記複数のデカーラにおけるカール矯正方向を制御する、
ことを特徴とする請求項１−４のいずれか一項に記載の画像形成システム。
【請求項６】
前記用紙のカール方向もしくはカール矯正方向、または、前記カール方向もしくは前記カール矯正方向に加えて前記用紙のカール強度もしくはカール矯正強度、についての選択肢の表示を行うと共に、該選択肢の選択を受け付ける操作表示部を備え、
前記制御部は、前記操作表示部において選択された前記選択肢に基づいて、前記複数のデカーラにおけるカール矯正方向を制御する、
ことを特徴とする請求項１−５のいずれか一項に記載の画像形成システム。
【請求項７】
用紙に画像を形成する画像形成装置と、
前記用紙のカールを矯正する複数のデカーラと、
前記用紙の表裏を反転して搬送する反転装置と、
各部を制御する制御部と、
を有する画像形成システムを制御する画像形成システム制御方法であって、
前記用紙の反転有無及び前記用紙のカール矯正方向に応じて、前記制御部が前記複数のデカーラにおけるカール矯正方向を制御する、
ことを特徴とする画像形成システム制御方法。
【請求項８】
前記用紙の反転有無、前記用紙のカール矯正方向、及び前記用紙のカール矯正強度に応じて、前記制御部が、前記複数のデカーラのカール矯正方向及びカール矯正有無をそれぞれ制御する、
ことを特徴とする請求項７に記載の画像形成システム制御方法。
【請求項９】
前記複数のデカーラは、一定のカール矯正強度でカール矯正方向を切り替えるようそれぞれ制御される、
ことを特徴とする請求項８に記載の画像形成システム制御方法。
【請求項１０】
前記反転装置と前記複数のデカーラとの位置関係を考慮して、前記制御部が、前記複数のデカーラにおけるカール矯正方向を制御する、
ことを特徴とする請求項７−９のいずれか一項に記載の画像形成システム制御方法。
【請求項１１】
前記反転装置が画像形成システム内のいずれかの位置に複数備えられ、
画像形成システム内における複数の前記反転装置の位置を考慮して、前記制御部が、前記複数のデカーラにおけるカール矯正方向を制御する、
ことを特徴とする請求項７−１０のいずれか一項に記載の画像形成システム制御方法。
【請求項１２】
前記用紙のカール方向もしくはカール矯正方向、または、前記カール方向もしくは前記カール矯正方向に加えて前記用紙のカール強度もしくはカール矯正強度、についての選択肢を操作表示部に表示し、
前記操作表示部に表示された前記選択肢についての選択を受け付け、
前記操作表示部において選択された前記選択肢に基づいて、前記制御部は、前記複数のデカーラにおけるカール矯正方向を制御する、
ことを特徴とする請求項７−１１のいずれか一項に記載の画像形成システム制御方法。
【発明の詳細な説明】
【技術分野】
【０００１】
本発明は、画像形成システム及び画像形成システム制御方法に関し、特に、画像形成中に用紙に生じたカールを適切に矯正する技術に関する。
【背景技術】
【０００２】
画像形成装置において、画像形成中では用紙が複数のローラに挟持搬送されて出力される。また、画像形成装置内で各種の処理を行うために、屈曲した搬送経路を通過することがある。そして、トナー像が転写された後に、熱ローラと圧力ローラにより用紙が挟持されて、トナー像が定着される。このようにして用紙が出力されると、用紙を側方から見た場合に凹又は凸形状に屈曲（以下、「カール」と呼ぶ）することがある。
【０００３】
このような用紙カールを矯正するために、デカーラと呼ばれる屈曲矯正機構（または屈曲矯正装置）が画像形成装置内に設けられることがある。
このデカーラとしては、用紙に対して除湿／加湿を行ってカールを矯正するもの、あるいは、カールと反対方向にローラで屈曲加圧することでカール矯正するもの、などが存在している。
【０００４】
なお、カール矯正機構を備えた画像形成装置としては、以下の特許文献に関連した提案がなされている。
【先行技術文献】
【特許文献】
【０００５】
【特許文献１】特開２０１２―９８４７７号公報
【発明の概要】
【発明が解決しようとする課題】
【０００６】
以上の特許文献１では、用紙に対して加湿と除湿とを行うことでカール矯正することが提案されている。なお、このような加湿と除湿とによりカール矯正をする場合、高速に用紙を出力する画像形成装置では処理が間に合わないことも考えられる。
【０００７】
一方、ローラで屈曲加圧するカール矯正の場合、カール矯正強度を調整するためにローラを移動させて、圧着量を調整する必要がある。このため、デカーラの構造が複雑化し、コストアップとなる問題があった。
【０００８】
また、複数の画像形成装置を直列に接続し、第１の画像形成装置で用紙第１面に画像を形成し、反転機構により用紙を反転させてから、第２の画像形成装置で用紙第２面に画像を形成することで、高速に両面画像形成を行う直列タンデム方式の画像形成システムが存在している。このような画像形成システムでは、両面画像形成と片面画像形成の違い、フェースアップ／フェースダウンの違い、など複数の要因で用紙反転の有無が異なったりする。このため、オペレータが出力用紙のカールを見て、カール矯正の方向や量の指示を与える場合に、判断が困難になる問題が発生している。しかし、このような場合に適切なカール矯正を行える画像形成システムは存在していなかった。
【０００９】
なお、画像形成装置に用紙処理装置が接続された画像形成システムにおいても、出力する用紙の向きや用紙処理に応じて画像形成システム内部で用紙反転の有無が異なる場合があり、上述した直列タンデム方式の画像形成システムと同様に、オペレータがカール矯正の方向や量の指示を与える際の判断が困難になる問題がある。
【００１０】
本発明の課題は、画像形成装置と用紙反転装置とを備えた画像形成システムにおいて、適切なカール矯正を実行可能な画像形成システム及び画像形成システム制御方法を実現することを目的とする。
【課題を解決するための手段】
【００１１】
すなわち、前記した課題を解決する本発明は、以下の通りである。
（１）用紙に画像を形成する画像形成装置と、前記用紙のカールを矯正する複数のデカーラと、前記用紙の表裏を反転して搬送する反転装置と、前記用紙の反転有無及び前記用紙のカール矯正方向に応じて前記複数のデカーラにおけるカール矯正方向を制御する制御部と、を有することを特徴とする。
【００１２】
（２）上記（１）において、前記制御部は、前記用紙の反転有無、前記用紙のカール矯正方向、及び前記用紙のカール矯正強度に応じて、前記複数のデカーラのカール矯正方向及びカール矯正有無をそれぞれ制御する、ことを特徴とする。
【００１３】
（３）上記（２）において、前記複数のデカーラは、一定のカール矯正強度でカール矯正方向を切り替える機能をそれぞれ有する、ことを特徴とする。
（４）上記（１）−（３）において、前記制御部は、前記反転装置と前記複数のデカーラとの位置関係を考慮して、前記複数のデカーラにおけるカール矯正方向を制御する、ことを特徴とする。
【００１４】
（５）上記（１）−（４）において、前記反転装置を画像形成システム内のいずれかの位置に複数備え、前記制御部は、画像形成システム内における複数の前記反転装置の位置を考慮して、前記複数のデカーラにおけるカール矯正方向を制御する、ことを特徴とする。
【００１５】
（６）上記（１）−（５）において、前記用紙のカール方向もしくはカール矯正方向、または、前記カール方向もしくは前記カール矯正方向に加えて前記用紙のカール強度もしくはカール矯正強度、についての選択肢の表示を行うと共に、該選択肢の選択を受け付ける操作表示部を備え、前記制御部は、前記操作表示部において選択された前記選択肢に基づいて、前記複数のデカーラにおけるカール矯正方向を制御する、ことを特徴とする。
【発明の効果】
【００１６】
（１）以上の課題を解決する一態様では、画像形成装置とデカーラと反転装置とを有する画像形成システムにおいて、用紙の反転有無及びカール矯正方向に応じて、複数のデカーラでのカール矯正方向を制御するため、出力された用紙のカール方向あるいはカール矯正方向をオペレータが入力することにより、反転有無に応じて変化するデカーラでのカール矯正方向を正しく制御することができ、適切なカール矯正を実行することができる。また、デカーラ単体で矯正強度を調整することなく、矯正強度を含めた適切なカール矯正を実行することができる。
【００１７】
（２）上記（１）において、用紙の反転有無、用紙のカール矯正方向、及び用紙のカール矯正強度に応じて、複数のデカーラのカール矯正方向及びカール矯正有無をそれぞれ制御することにより、用紙の同じ方向へのカール矯正を行うデカーラの台数を切り替えることが可能になり、デカーラ単体で矯正強度を調整することなく、矯正強度を含めた適切なカール矯正を実行することができる。
【００１８】
（３）上記（２）において、デカーラは、一定のカール矯正強度でカール矯正方向を切り替える機能をそれぞれ有することで、用紙の反転有無、用紙のカール矯正方向、及び用紙のカール矯正強度に応じて、複数のデカーラのカール矯正方向及びカール矯正有無をそれぞれ制御することにより、用紙の同じ方向へのカール矯正を行うデカーラの台数を切り替えることが可能になり、デカーラは一定のカール矯正強度であっても、矯正強度を含めた適切なカール矯正を実行することができる。
【００１９】
（４）上記（１）−（３）において、反転装置とデカーラとの位置関係を考慮してデカーラのカール矯正方向を制御することにより、反転有無に応じて変化するデカーラでのカール矯正方向を正しく制御することができるようになり、適切なカール矯正を実行することができる。
【００２０】
（５）上記（１）−（４）において、複数の反転装置とデカーラとの位置関係を考慮してデカーラのカール矯正方向を制御することにより、反転有無や反転回数に応じて変化するデカーラでのカール矯正方向を正しく制御することができるようになり、適切なカール矯正を実行することができる。
【００２１】
（６）上記（１）−（５）において、前記用紙のカール方向もしくはカール矯正方向、または、前記カール方向もしくは前記カール矯正方向に加えて前記用紙のカール強度もしくはカール矯正強度、についての選択肢を操作表示部に表示し、この選択肢についての選択を受け付け、選択された選択肢に基づいて、デカーラのカール矯正方向を制御することにより、オペレータが複雑な判断をすることなく、出力された用紙のカール方向あるいはカール矯正方向の選択肢を選択することにより、反転有無に応じて変化するデカーラでのカール矯正方向を正しく制御することができ、適切なカール矯正を実行することができる。
【図面の簡単な説明】
【００２２】
【図１】本発明の実施形態の構成を示す構成図である。
【図２】本発明の実施形態の外観構成を示す構成図である。
【図３】本発明の実施形態の内部概略構成を示す構成図である。
【図４】本発明の実施形態の内部概略構成を示す構成図である。
【図５】本発明の実施形態の動作における制御状態を示す制御説明図である。
【図６】本発明の実施形態の動作について説明する説明図である。
【図７】本発明の実施形態の動作を示すフローチャートである。
【図８】本発明の実施形態の動作時の画面を示す説明図である。
【図９】本発明の実施形態の動作時の画面を示す説明図である。
【図１０】本発明の実施形態の構成を示す構成図である。
【図１１】本発明の実施形態の動作における制御状態を示す制御説明図である。
【図１２】本発明の実施形態の構成を示す構成図である。
【図１３】本発明の実施形態の動作における制御状態を示す制御説明図である。
【図１４】本発明の実施形態の構成を示す構成図である。
【図１５】本発明の実施形態の動作における制御状態を示す制御説明図である。
【図１６】本発明の実施形態の構成を示す構成図である。
【図１７】本発明の実施形態の動作における制御状態を示す制御説明図である。
【図１８】本発明の実施形態の構成を示す構成図である。
【図１９】本発明の実施形態の動作における制御状態を示す制御説明図である。
【図２０】本発明の実施形態の構成を示す構成図である。
【図２１】本発明の実施形態の構成を示す構成図である。
【図２２】本発明の実施形態の動作における制御状態を示す制御説明図である。
【図２３】本発明の実施形態の構成を示す構成図である。
【図２４】本発明の実施形態の動作における制御状態を示す制御説明図である。
【図２５】本発明の実施形態の構成を示す構成図である。
【図２６】本発明の実施形態の動作における制御状態を示す制御説明図である。
【図２７】本発明の実施形態の構成を示す構成図である。
【図２８】本発明の実施形態の構成を示す構成図である。
【図２９】本発明の実施形態の動作における制御状態を示す制御説明図である。
【発明を実施するための形態】
【００２３】
以下、図面を参照して本発明の用紙カール矯正制御を実施する画像形成装置および画像形成装置制御方法の実施形態を詳細に説明する。
〔画像形成システムの構成例（１）〕
ここで、第１実施形態として、画像形成に伴い必要に応じて用紙カール矯正制御を行う画像形成システムの構成例を、図１−３に基づいて詳細に説明する。
【００２４】
ここでは、複数種類の用紙が収容されており、必要に応じて給紙可能な給紙装置５０、用紙に画像を形成する上流側の画像形成装置１００、画像形成装置１００から送られてきた用紙を反転させる反転装置２００、用紙に画像を形成する下流側の画像形成装置３００、画像形成装置３００から送られてきた用紙を反転させる反転装置４００、画像形成装置１００，３００で画像形成された用紙に各種用紙処理（パンチ処理、中折り処理、ステイプル処理など）を施す用紙処理装置５００、が用紙の流れに沿って配置されている。
【００２５】
なお、画像形成装置１００が上流側であるため、第１画像形成装置を構成し、画像形成装置３００が下流側であるため、第２画像形成装置を構成している。また、反転装置２００が上流側であるため、第１反転装置を構成し、反転装置４００が下流側であるため、第２反転装置を構成している。
【００２６】
また、画像形成装置１００と画像形成装置３００との２台の画像形成装置が用紙の流れに沿って直列タンデム接続されており、それぞれの画像形成装置で用紙の片面ずつの画像形成を担当させることで、生産性を向上させることが可能である。
【００２７】
なお、この実施形態の画像形成システムに使用される画像形成装置１００，３００としては、各種の画像形成装置に適用が可能であるが、ここでは、ネットワークに接続された、スキャナ，複写機，プリンタ，ファクシミリ装置の機能を備えた複合機（ＭＦＰ）、あるいは複写機を具体例にして説明を続ける。また、画像形成装置１００，３００として既知であって、本実施形態の特徴的な動作や制御に直接に関係しない一般的な部分についての説明は省略してある。
【００２８】
以下、画像形成システムについて、図１−図３に基づいて、各装置の詳細構成を説明する。
給紙装置５０は、給紙装置５０内の各部を制御する制御部５１と、接続されている他の装置と通信するための通信部５２と、複数の給紙部５５ａ〜５５ｄ（図２〜図３参照）に収容された用紙を給紙する給紙部５５と、を備えて構成されている。
【００２９】
画像形成装置１００は、画像形成装置１００内の各部を制御すると共に画像形成システムとしてシステム全体を制御する制御部１０１と、接続されている他の装置と通信するための通信部１０２と、オペレータによる操作入力と画像形成装置１００の状態表示とを行う操作表示部１０３と、給紙トレイ１０５ａ〜１０５ｂ（図２〜図３参照）に収容された用紙を給紙する給紙部１０５と、装置内で用紙を搬送する搬送部１１０と、原稿を読み取る原稿読込部１２０と、画像形成する際の画像データや各種データを記憶する画像データ記憶部１３０と、画像形成に必要な各種画像処理を実行する画像処理部１４０と、画像形成命令と画像データとに基づいて用紙上に画像を形成する画像形成部１５０と、両面画像形成する際に用紙を搬送する両面搬送部１８０と、用紙に生じたカールを矯正する第１デカーラ１９０と、を備えて構成されている。
【００３０】
なお、画像形成部１５０は、トナー像が形成される像担持体１５１と、像担持体１５１を所定の電位で帯電させる帯電部１５２と、帯電した像担持体１５１に画像データに応じた露光をして静電潜像を形成する露光部１５３と、静電潜像を現像してトナー像にする現像部１５４と、像担持体１５１上のトナー像を用紙に転写する転写部１５５と、用紙上のトナー像を熱と圧力とで定着させる定着部１５６と、を有して構成される。
【００３１】
また、第１デカーラ１９０は、用紙カールを矯正するための用紙屈曲矯正機構（または、用紙屈曲矯正装置）であり、一例として、図３のように２組のローラ対を備え、カール矯正強度は一定であり調節できないが、いずれか一方のローラ対を使用することで、カール矯正方向が切り替え可能に構成されたものである。なお、第１デカーラ１９０の具体的構成は図３のものに限定されることはなく、カール矯正強度は調節できないが、カール矯正方向が切り替え可能な各種のデカーラを用いることが可能である。
【００３２】
反転装置２００は、反転装置２００内の各部を制御する制御部２０１と、接続されている他の装置と通信するための通信部２０２と、装置内で用紙を搬送する搬送部２１０と、画像形成装置１００と画像形成装置３００とで片面ずつの両面画像形成をする際に用紙を反転させる反転部２５０と、を備えて構成されている。
【００３３】
画像形成装置３００は、画像形成装置１００の用紙搬送方向下流側に直列タンデム接続されており、画像形成装置１００と近似した同種の構成である。なお、画像形成装置１００と画像形成装置３００は完全同一構成であっても良いし、一部が同一の近似構成であっても良いし、１枚の用紙について片面ずつ画像形成が可能であればよい。なお、図１−図３では、画像形成装置１００と画像形成装置３００において、各構成要素の３桁の番号のうちの下２桁（例えば、画像形成部１５０と画像形成部３５０、第１デカーラ１９０と第２デカーラ３９０等）を一致させており、重複した説明を省略する。
【００３４】
反転装置４００は、反転装置４００内の各部を制御する制御部４０１と、接続されている他の装置と通信するための通信部４０２と、装置内で用紙を搬送する搬送部４１０と、用紙を出力する際のフェースアップ／フェースダウンの切り替えのために用紙を反転させる反転部４５０と、を備えて構成されている。
【００３５】
用紙処理装置５００は、用紙処理装置５００内の各部を制御する制御部５０１と、接続されている他の装置と通信するための通信部５０２と、用紙処理装置５００内で用紙を搬送する搬送部５１０と、用紙に対して各種の用紙処理を行う用紙処理部５５０と、排紙トレイに用紙を排出する排出部５９０と、を備えて構成されている。なお、用紙処理装置５００での用紙処理としては、パンチ処理、中折り処理、ステイプル処理など、必要に応じて各種の処理が可能である。
【００３６】
なお、第１デカーラ１９０と第２デカーラ３９０とはそれぞれ画像形成装置に内蔵された例を示したが、いずれか一方又は両方について、図４に示すように画像形成装置外に独立して存在していてもよい。
【００３７】
また、画像形成システムの接続構成は、ここに示したものに限定されることなく、第１画像形成装置と、第１デカーラと、第１反転装置と、第２画像形成装置と、第２デカーラと、を備えていれば良い。なお、ここでは、少なくとも、上流側の画像形成装置を第１画像形成装置、下流側の画像形成装置を第２画像形成装置とした場合に、第１画像形成装置の定着の後に第１デカーラが配置され、第２画像形成装置の定着の後に第２デカーラが配置され、第１デカーラと第２デカーラとの間に第１反転装置が配置されている。そして、第２反転装置は、第２デカーラの後に配置されている。
【００３８】
〔画像形成システムの動作例（１）〕
以上の画像形成システムの構成例（１）についての動作例（１）を、図５−図６の制御説明図と、図７のフローチャートとを参照して説明する。
【００３９】
図５は、出力された用紙のカール方向・カール強度、用紙のカール矯正方向・矯正強度、プリントモード（両面／片面）、反転装置２００での第１反転の有無、反転装置４００での第２反転の有無、以上のパラメータにより決定される第１デカーラ１９０でのカール矯正方向、以上のパラメータにより決定される第２デカーラ３９０でのカール矯正方向、すなわち、制御状態を一覧として示す制御説明図である。
【００４０】
図６は、以上の図５で決定される第１デカーラ１９０の矯正方向と第２デカーラ３９０の矯正方向の制御状態の組合せについて、「デカーラ設定＃１」〜「デカーラ設定＃６」の名称を付して一覧にした制御説明図である。
【００４１】
画像形成システムにおいて、同一ジョブを実行する際の前ジョブで出力された用紙、あるいは、ジョブ実行前のプルーフプリントの用紙において、用紙を側方から見た場合に凹又は凸形状にカールしている場合を想定する。
【００４２】
ここで、画像形成システムのオペレータは、操作表示部１０３に表示されている表示画面１０３Ａ（図８参照）において、カール矯正のタブ１０３Ａｔ１を押下する。すると、制御部１０１は、操作表示部１０３の表示画面１０３Ａ中にポップアップ画面１０３Ａｐ１を表示する。
【００４３】
このポップアップ画面１０３Ａｐ１では、少なくとも、排出された用紙のカール方向と強度とが、［上カール強］、［上カール弱］、［下カール強］、［下カール弱］の４種類の選択肢として図示される。なお、この図９のポップアップ画面１０３Ａｐ１では、［上カール強／下矯正強］、［上カール弱／下矯正弱］、［下カール強／上矯正強］、［下カール弱／上矯正弱］の４種類の選択肢として、カール方向と強度／矯正方向と強度とが図示された状態を示している。
【００４４】
画像形成システムのオペレータは排出された用紙を見て、図示された選択肢の中から近い状態の物を押下して、［ＯＫ］釦１０３Ａｂ１を押下する。なお、上カールとは、用紙搬送方向側面から見て、用紙の中央部が上向き（即ち「凸」）である状態を言う。また、下カールとは、用紙搬送方向側面から見て、用紙の中央部が下向き（即ち「凹」）である状態を言う。また、上矯正とは、用紙搬送方向側面から見て、用紙の中央部を上向きに矯正して、「凹」を解消する方向の矯正を言う。また、下矯正とは、用紙搬送方向側面から見て、用紙の中央部を下向きに矯正して、「凸」を解消する方向の矯正を言う。
【００４５】
これにより、制御部１０１は、オペレータからのカール方向と強度の入力、あるいは、矯正方向と強度の入力を受け付け（図７中のステップＳ１００）、最終的なカール矯正方向・強度を決定する。なお、最終的なカール矯正方向はオペレータから入力されたカール方向と逆方向であり、最終的なカール矯正強度はオペレータから入力されたカール強度と同じである。
【００４６】
また、制御部１０１は、実行するジョブについて、プリントモード（両面画像形成／片面画像形成）、反転装置２００での反転有無、反転装置４００での反転有無、をジョブ設定から抽出して確認する（図７中のステップＳ１００）。
【００４７】
ここで、制御部１０１は、以下のような条件に当て嵌めて、第１デカーラ１９０の矯正方向と第２デカーラ３９０の矯正方向とを決定する。
なお、以下のカール矯正では、カール強度が強であれば２つの第１デカーラ１９０と第２デカーラ３９０を共に使用し、カール強度が弱であれば一方のデカーラ（以下の説明では、上流側の第１デカーラ１９０）のみを使用するように制御する。
【００４８】
また、反転装置による反転が全く行われない場合にはデカーラの矯正方向はカール矯正方向に一致し、１つの反転装置による反転の影響を受けるデカーラの矯正方向はカール矯正方向と反対になり、２つの反転装置による反転の影響を受けるデカーラの矯正方向はカール矯正方向に一致する。
【００４９】
なお、「反転の影響を受ける」とは、デカーラで矯正された用紙が排出されるまでの間に、反転装置によって反転されること、すなわち、デカーラの下流に反転装置が存在して反転が実行されることを意味している。
【００５０】
まず、第２反転装置４００で、画像形成装置１００と画像形成装置３００とを通過してきた用紙の反転を行うかを、制御部１０１が確認する（図７中のステップＳ１０１）。
また、第２反転装置４００で用紙の反転を行わない場合（図７中のステップＳ１０１でＮＯ）に、第１反転装置２００で用紙の反転を行うかを、制御部１０１が確認する（図７中のステップＳ１０２）。
【００５１】
第１反転装置２００で用紙の反転を行わず、第２反転装置４００で用紙の反転を行わない場合（図７中のステップＳ１０１でＮＯ、Ｓ１０２でＮＯ）に、排出された用紙が上カール・強であれば（図７中のステップＳ１１１でＹＥＳ）、最終矯正方向・強度は下方向・強であるため、２つのデカーラ用いて、第１デカーラ１９０と第２デカーラ３９０で共に下方向に矯正すべく、制御部１０１は、デカーラ設定＃５（図６参照）を選択する（図７中のステップＳ１１２）。
【００５２】
第１反転装置２００で用紙の反転を行わず、第２反転装置４００で用紙の反転を行わない場合（図７中のステップＳ１０１でＮＯ、Ｓ１０２でＮＯ）に、排出された用紙が上カール・弱であれば（図７中のステップＳ１１３でＹＥＳ）、最終矯正方向・強度は下方向・弱であるため、１つのデカーラ用いて、第１デカーラ１９０では下方向に矯正すべく、制御部１０１は、デカーラ設定＃６（図６参照）を選択する（図７中のステップＳ１１２）。なお、ここでは、強度＝弱であるため、第１デカーラ１９０のみでカール矯正し、第２デカーラ３９０ではカール矯正しない。
【００５３】
第１反転装置２００で用紙の反転を行わず、第２反転装置４００で用紙の反転を行わない場合（図７中のステップＳ１０１でＮＯ、Ｓ１０２でＮＯ）に、排出された用紙が下カール・強であれば（図７中のステップＳ１１５でＹＥＳ）、最終矯正方向・強度は上方向・強であるため、２つのデカーラ用いて、第１デカーラ１９０と第２デカーラ３９０で共に上方向に矯正すべく、制御部１０１は、デカーラ設定＃１（図６参照）を選択する（図７中のステップＳ１１６）。
【００５４】
第１反転装置２００で用紙の反転を行わず、第２反転装置４００で用紙の反転を行わない場合（図７中のステップＳ１０１でＮＯ、Ｓ１０２でＮＯ）に、排出された用紙が下カール・弱であれば（図７中のステップＳ１１７でＹＥＳ）、最終矯正方向・強度は上方向・弱であるため、１つのデカーラ用いて、第１デカーラ１９０では上方向に矯正すべく、制御部１０１は、デカーラ設定＃３（図６参照）を選択する（図７中のステップＳ１１８）。なお、ここでは、強度＝弱であるため、第１デカーラ１９０のみでカール矯正し、第２デカーラ３９０ではカール矯正しない。
【００５５】
第１反転装置２００で用紙の反転を行い、第２反転装置４００で用紙の反転を行わない場合（図７中のステップＳ１０１でＮＯ、Ｓ１０２でＹＥＳ）に、排出された用紙が上カール・強であれば（図７中のステップＳ１２１でＹＥＳ）、最終矯正方向・強度は下方向・強であるため、２つのデカーラ用いて、反転装置２００より前の第１デカーラ１９０では上方向に矯正し、反転装置２００より後の第２デカーラ３９０では下方向に矯正すべく、制御部１０１は、デカーラ設定＃２（図６参照）を選択する（図７中のステップＳ１２２）。
【００５６】
第１反転装置２００で用紙の反転を行い、第２反転装置４００で用紙の反転を行わない場合（図７中のステップＳ１０１でＮＯ、Ｓ１０２でＹＥＳ）に、排出された用紙が上カール・弱であれば（図７中のステップＳ１２３でＹＥＳ）、最終矯正方向・強度は下方向・弱であるため、１つのデカーラ用いて、反転装置２００より前の第１デカーラ１９０では上方向に矯正すべく、制御部１０１は、デカーラ設定＃３（図６参照）を選択する（図７中のステップＳ１２４）。なお、ここでは、強度＝弱であるため、第１デカーラ１９０のみでカール矯正し、第２デカーラ３９０ではカール矯正しない。
【００５７】
第１反転装置２００で用紙の反転を行い、第２反転装置４００で用紙の反転を行わない場合（図７中のステップＳ１０１でＮＯ、Ｓ１０２でＹＥＳ）に、排出された用紙が下カール・強であれば（図７中のステップＳ１２５でＹＥＳ）、最終矯正方向・強度は上方向・強であるため、２つのデカーラ用いて、反転装置２００より前の第１デカーラ１９０では下方向に矯正し、反転装置２００より後の第２デカーラ３９０では上方向に矯正すべく、制御部１０１は、デカーラ設定＃４（図６参照）を選択する（図７中のステップＳ１２６）。
【００５８】
第１反転装置２００で用紙の反転を行い、第２反転装置４００で用紙の反転を行わない場合（図７中のステップＳ１０１でＮＯ、Ｓ１０２でＹＥＳ）に、排出された用紙が下カール・弱であれば（図７中のステップＳ１２７でＹＥＳ）、最終矯正方向・強度は上方向・弱であるため、１つのデカーラ用いて、反転装置２００より前の第１デカーラ１９０では下方向に矯正すべく、制御部１０１は、デカーラ設定＃６（図６参照）を選択する（図７中のステップＳ１２８）。なお、ここでは、強度＝弱であるため、第１デカーラ１９０のみでカール矯正し、第２デカーラ３９０ではカール矯正しない。
【００５９】
なお、以上のステップＳ１２１，Ｓ１２２，Ｓ１２３，Ｓ１２４，Ｓ１２５，Ｓ１２６，Ｓ１２７，Ｓ１２８の処理に関しては、片面画像形成であっても、両面画像形成であっても、どちらであってもデカーラの制御は同じである。
【００６０】
第２反転装置４００で用紙の反転を行う場合（図７中のステップＳ１０１でＹＥＳ）において、両面画像形成であれば第１反転装置２００で反転を行う必要がある。一方、第２反転装置４００で用紙の反転を行う場合（図７中のステップＳ１０１でＹＥＳ）において、片面画像形成であれば、フェースダウンで用紙を排出するとした場合、反転装置４００で反転を行うために反転装置２００で反転を行う必要がなくなる。このため、制御部１０１は、第２反転装置４００で用紙の反転を行う場合（図７中のステップＳ１０１でＹＥＳ）において、両面画像形成であるか片面画像形成であるかを確認する（図７中のステップＳ１０３）。
【００６１】
第２反転装置４００で用紙の反転を行い（図７中のステップＳ１０１でＹＥＳ）、両面画像形成のために反転装置２００で用紙の反転を行う場合（図７中のステップＳ１０３でＹＥＳ）であって、排出された用紙が上カール・強であれば（図７中のステップＳ１３１でＹＥＳ）、最終矯正方向・強度は下方向・強であるため、２つのデカーラ用いて、反転装置２００及び反転装置４００より前の第１デカーラ１９０では下方向に矯正し、反転装置４００より前の第２デカーラ３９０では上方向に矯正すべく、制御部１０１は、デカーラ設定＃４（図６参照）を選択する（図７中のステップＳ１３２）。
【００６２】
第２反転装置４００で用紙の反転を行い（図７中のステップＳ１０１でＹＥＳ）、両面画像形成のために反転装置２００で用紙の反転を行う場合（図７中のステップＳ１０３でＹＥＳ）であって、排出された用紙が上カール・弱であれば（図７中のステップＳ１３３でＹＥＳ）、最終矯正方向・強度は下方向・弱であるため、１つのデカーラ用いて、反転装置２００及び反転装置４００より前の第１デカーラ１９０では下方向に矯正すべく、制御部１０１は、デカーラ設定＃６（図６参照）を選択する（図７中のステップＳ１３４）。なお、ここでは、強度＝弱であるため、第１デカーラ１９０のみでカール矯正し、第２デカーラ３９０ではカール矯正しない。
【００６３】
第２反転装置４００で用紙の反転を行い（図７中のステップＳ１０１でＹＥＳ）、両面画像形成のために反転装置２００で用紙の反転を行う場合（図７中のステップＳ１０３でＹＥＳ）であって、排出された用紙が下カール・強であれば（図７中のステップＳ１３５でＹＥＳ）、最終矯正方向・強度は上方向・強であるため、２つのデカーラ用いて、反転装置２００及び反転装置４００より前の第１デカーラ１９０では上方向に矯正し、反転装置４００より前の第２デカーラ３９０では下方向に矯正すべく、制御部１０１は、デカーラ設定＃２（図６参照）を選択する（図７中のステップＳ１３６）。
【００６４】
第２反転装置４００で用紙の反転を行い（図７中のステップＳ１０１でＹＥＳ）、両面画像形成のために反転装置２００で用紙の反転を行う場合（図７中のステップＳ１０３でＹＥＳ）であって、排出された用紙が下カール・弱であれば（図７中のステップＳ１３７でＹＥＳ）、最終矯正方向・強度は上方向・弱であるため、１つのデカーラ用いて、反転装置２００及び反転装置４００より前の第１デカーラ１９０では上方向に矯正すべく、制御部１０１は、デカーラ設定＃３（図６参照）を選択する（図７中のステップＳ１３８）。なお、ここでは、強度＝弱であるため、第１デカーラ１９０のみでカール矯正し、第２デカーラ３９０ではカール矯正しない。
【００６５】
第２反転装置４００で用紙の反転を行い（図７中のステップＳ１０１でＹＥＳ）、片面画像形成であり反転装置２００で用紙の反転を行わない場合（図７中のステップＳ１０３でＮＯ）であって、排出された用紙が上カール・強であれば（図７中のステップＳ１４１でＹＥＳ）、最終矯正方向・強度は下方向・強であるため、２つのデカーラ用いて、反転装置４００より前に存在する第１デカーラ１９０と第２デカーラ３９０で共に上方向に矯正すべく、制御部１０１は、デカーラ設定＃１（図６参照）を選択する（図７中のステップＳ１４２）。
【００６６】
第２反転装置４００で用紙の反転を行い（図７中のステップＳ１０１でＹＥＳ）、片面画像形成であり反転装置２００で用紙の反転を行わない場合（図７中のステップＳ１０３でＮＯ）であって、排出された用紙が上カール・弱であれば（図７中のステップＳ１４３でＹＥＳ）、最終矯正方向・強度は下方向・弱であるため、１つのデカーラ用いて、上流側に存在する第１デカーラ１９０で上方向に矯正すべく、制御部１０１は、デカーラ設定＃３（図６参照）を選択する（図７中のステップＳ１４４）。なお、ここでは、強度＝弱であるため、第１デカーラ１９０のみでカール矯正し、第２デカーラ３９０ではカール矯正しない。
【００６７】
第２反転装置４００で用紙の反転を行い（図７中のステップＳ１０１でＹＥＳ）、片面画像形成であり反転装置２００で用紙の反転を行わない場合（図７中のステップＳ１０３でＮＯ）であって、排出された用紙が下カール・強であれば（図７中のステップＳ１４５でＹＥＳ）、最終矯正方向・強度は上方向・強であるため、２つのデカーラ用いて、反転装置４００より前に存在する第１デカーラ１９０と第２デカーラ３９０で共に下方向に矯正すべく、制御部１０１は、デカーラ設定＃５（図６参照）を選択する（図７中のステップＳ１４６）。
【００６８】
第２反転装置４００で用紙の反転を行い（図７中のステップＳ１０１でＹＥＳ）、片面画像形成であり反転装置２００で用紙の反転を行わない場合（図７中のステップＳ１０３でＮＯ）であって、排出された用紙が下カール・弱であれば（図７中のステップＳ１４７でＹＥＳ）、最終矯正方向・強度は上方向・弱であるため、１つのデカーラ用いて、上流側に存在する第１デカーラ１９０では下方向に矯正すべく、制御部１０１は、デカーラ設定＃６（図６参照）を選択する（図７中のステップＳ１４８）。なお、ここでは、強度＝弱であるため、第１デカーラ１９０のみでカール矯正し、第２デカーラ３９０ではカール矯正しない。
【００６９】
そして、制御部１０１は、実行するジョブについて以上のようにして第１デカーラ１９０の矯正方向と第２デカーラ３９０の矯正方向をデカーラ設定＃１〜＃６のいずれかに決定し、決定されたデカーラ設定＃１〜＃６に基づいて第１デカーラ１９０の矯正方向と第２デカーラ３９０の矯正方向を制御しつつ、画像形成（給紙、作像、転写、定着）を行う（図７中のステップＳ１５１）。なお、この画像形成を、ジョブで指定された最終頁まで繰り返し実行する（図７中のステップＳ１５２）。
【００７０】
なお、以上の説明において、図７ステップＳ１０１でＮＯの場合の、ステップＳ１１１〜Ｓ１１８と、ステップＳ１２１〜Ｓ１２８は、反転装置４００での第２反転を行わない場合であるので、第２の反転装置４００を含まない状態の画像形成システムの制御にもそのまま適用することができる。
【００７１】
また、以上の説明において、図７ステップＳ１０１でＹＥＳの場合の、ステップＳ１３１〜Ｓ１３８は、第１の反転装置２００と第２の反転装置４００とを含む状態で両面画像形成を行う画像形成システムに適用することができる。
【００７２】
また、以上の説明において、図７ステップＳ１０１でＹＥＳの場合の、ステップＳ１４１〜Ｓ１４８は、第１の反転装置２００と第２の反転装置４００とを含む状態で片面画像形成を行う画像形成システムに適用することができる。
【００７３】
以上の実施形態によると、オペレータから入力された用紙のカール方向と用紙のカール強度、及び、ジョブの設定情報から取得した用紙の反転の有無に応じて、制御部１０１が第１デカーラ１９０と第２デカーラ３９０の矯正方向を制御するため、複数の画像形成装置１００，３００と少なくとも１つの反転装置２００を備えた画像形成システムにおいて、出力される用紙のカール方向とカール強度とをオペレータが入力することにより、矯正強度を調整するような複雑なデカーラを使用することなく、矯正強度を含めた適切なカール矯正を実行することができる。
【００７４】
また、以上の実施形態によると、複数の画像形成装置１００，３００と複数の反転装置２００，４００を備えた画像形成システムにおいて、出力される用紙のカール方向とカール強度とをオペレータが入力することにより、矯正強度を調整するような複雑なデカーラを使用することなく、矯正強度を含めた適切なカール矯正を実行することができる。
【００７５】
また、以上の実施形態によると、第１デカーラ１９０と第２デカーラ３９０とは、カールの矯正強度の調整機能を有していないが、２つのデカーラの使用有無を含む矯正方向の切り替えパターンを制御することにより、カール方向だけでなくカール強度についての対処可能になるため、矯正強度を調整するような複雑なデカーラを使用することなく、矯正強度を含めた適切なカール矯正を実行することができる。
【００７６】
〔画像形成システムの構成例（１−１）〕
ここで、上述した第１実施形態の第１変形例の構成（１−１）を図１０に示す。なお、この図１０の構成は、第１デカーラ１９０と第２デカーラ３９０とが画像形成装置外に独立して存在する場合（図４参照）についての第１の変形例に相当する。ここでは、上流側の画像形成装置１００、反転装置２００、第１デカーラ１９０、画像形成装置３００、第２デカーラ３９０、反転装置４００、用紙処理装置５００、が用紙の流れに沿って配置されている。すなわち、図１−３の構成と比較すると、第１デカーラ１９０と反転装置２００との配置順序が逆になっている。
【００７７】
〔画像形成システムの動作例（１−１）〕
以上の画像形成システムの構成（１−１）についての動作（１−１）を、図１１の制御説明図を参照して説明する。図１１は、出力された用紙のカール方向・カール強度、用紙のカール矯正方向・矯正強度、プリントモード（両面／片面）、第１反転の有無、第２反転の有無、以上のパラメータにより決定される第１デカーラ１９０でのカール矯正方向、以上のパラメータにより決定される第２デカーラ３９０でのカール矯正方向、といった制御状態を一覧として示す制御説明図である。
【００７８】
このカール矯正では、カール強度が強であれば２つの第１デカーラ１９０と第２デカーラ３９０を共に使用し、カール強度が弱であれば上流側の第１デカーラ１９０のみを使用するように制御する。また、反転装置による反転が全く行われない場合にはデカーラの矯正方向はカール矯正方向に一致し、１つの反転装置による反転の影響を受けるデカーラの矯正方向はカール矯正方向と反対になる。
【００７９】
すなわち、制御部１０１は、オペレータからのカール方向と強度の入力、あるいは、矯正方向と強度の入力を操作表示部１０３を介して受け付け、図１１のように、最終的なカール矯正方向・強度を決定する。なお、図１１の制御説明図において、図５の制御説明図と異なる制御状態の部分には下線を表示してある。この場合、図１０での第１デカーラ１９０の位置が図１−３と異なるため、第１反転：有の場合における第１デカーラのカール矯正方向（図１１）が図５とは逆転している。また、それ以外の場合には第１デカーラ１９０と第２デカーラ３９０の制御は図１１と図５とで同一である。
【００８０】
このような制御により、第１デカーラ１９０と第２デカーラ３９０とは、カールの矯正強度の調整機能を有していないが、２つのデカーラの使用有無を含む矯正方向の切り替えパターンを制御することにより、カール方向だけでなくカール強度についての対処可能になるため、矯正強度を調整するような複雑なデカーラを使用することなく、矯正強度を含めた適切なカール矯正を実行することができる。
【００８１】
〔画像形成システムの構成例（１−２）〕
ここで、上述した第１実施形態の第２変形例の構成（１−２）を図１２に示す。なお、この図１２の構成は、第１デカーラ１９０と第２デカーラ３９０とが画像形成装置外に独立して存在する場合（図４参照）についての第２の変形例に相当する。ここでは、上流側の画像形成装置１００、第１デカーラ１９０、反転装置２００、画像形成装置３００、反転装置４００、第２デカーラ３９０、用紙処理装置５００、が用紙の流れに沿って配置されている。なお、第１デカーラ１９０を、図２に示したように画像形成装置１００に内蔵させることも可能である。すなわち、図１−３の構成と比較すると、第２デカーラ３９０と反転装置４００との配置順序が逆になっている。
【００８２】
〔画像形成システムの動作例（１−２）〕
以上の画像形成システムの構成（１−２）についての動作（１−２）を、図１３の制御説明図を参照して説明する。図１３は、出力された用紙のカール方向・カール強度、用紙のカール矯正方向・矯正強度、プリントモード（両面／片面）、第１反転の有無、第２反転の有無、以上のパラメータにより決定される第１デカーラ１９０でのカール矯正方向、以上のパラメータにより決定される第２デカーラ３９０でのカール矯正方向、といった制御状態を一覧として示す制御説明図である。
【００８３】
このカール矯正では、カール強度が強であれば２つの第１デカーラ１９０と第２デカーラ３９０を共に使用し、カール強度が弱であれば上流側の第１デカーラ１９０のみを使用するように制御する。また、反転装置による反転が全く行われない場合にはデカーラの矯正方向はカール矯正方向に一致し、１つの反転装置による反転の影響を受けるデカーラの矯正方向はカール矯正方向と反対になり、２つの反転装置による反転の影響を受けるデカーラの矯正方向はカール矯正方向に一致する。
【００８４】
すなわち、制御部１０１は、オペレータからのカール方向と強度の入力、あるいは、矯正方向と強度の入力を操作表示部１０３を介して受け付け、図１３のように、最終的なカール矯正方向・強度を決定する。なお、図１３の制御説明図において、図５の制御説明図と異なる制御状態の部分には下線を表示してある。この場合、図１２での第２デカーラ３９０の位置が図１−３と異なるため、第２反転：有の影響を受けて、図１３では第１デカーラ１９０と第２デカーラ３９０のカール矯正方向が図５とは逆転する場合がある。なお、第１反転：無の場合の第１デカーラの制御については、図５と図１３とで同一である。また、第１反転：有かつ第２反転：有の場合の第１デカーラの制御については、図５と図１３とで同一である。
【００８５】
このような制御により、第１デカーラ１９０と第２デカーラ３９０とは、カールの矯正強度の調整機能を有していないが、２つのデカーラの使用有無を含む矯正方向の切り替えパターンを制御することにより、カール方向だけでなくカール強度についての対処可能になるため、矯正強度を調整するような複雑なデカーラを使用することなく、矯正強度を含めた適切なカール矯正を実行することができる。
【００８６】
〔画像形成システムの構成例（１−３）〕
ここで、上述した第１実施形態の第３変形例の構成（１−３）を図１４に示す。なお、この図１４の構成は、第１デカーラ１９０と第２デカーラ３９０とが画像形成装置外に独立して存在する場合（図４参照）についての第３の変形例に相当する。ここでは、上流側の画像形成装置１００、反転装置２００、第１デカーラ１９０、画像形成装置３００、反転装置４００、第２デカーラ３９０、用紙処理装置５００、が用紙の流れに沿って配置されている。すなわち、図１−３の構成と比較すると、第１デカーラ１９０と反転装置２００との配置順序が逆になっており、第２デカーラ３９０と反転装置４００との配置順序が逆になっている。
【００８７】
〔画像形成システムの動作例（１−３）〕
以上の画像形成システムの構成（１−３）についての動作（１−３）を、図１５の制御説明図を参照して説明する。図１５は、出力された用紙のカール方向・カール強度、用紙のカール矯正方向・矯正強度、プリントモード（両面／片面）、第１反転の有無、第２反転の有無、以上のパラメータにより決定される第１デカーラ１９０でのカール矯正方向、以上のパラメータにより決定される第２デカーラ３９０でのカール矯正方向、といった制御状態を一覧として示す制御説明図である。
【００８８】
このカール矯正では、カール強度が強であれば２つの第１デカーラ１９０と第２デカーラ３９０を共に使用し、カール強度が弱であれば上流側の第１デカーラ１９０のみを使用するように制御する。また、反転装置による反転が全く行われない場合にはデカーラの矯正方向はカール矯正方向に一致し、１つの反転装置による反転の影響を受けるデカーラの矯正方向はカール矯正方向と反対になる。また、第２デカーラ３９０は反転装置４００の後段に位置するため、第２反転の影響を受けることがない。同様に、反転装置２００は第１デカーラ１９０よりも前段に位置するため、反転装置２００の反転有無は第１デカーラ１９０の制御に影響を与えることがない。従って、第１デカーラ１９０の制御が、反転装置４００の第２反転の影響を受けることになる。
【００８９】
すなわち、制御部１０１は、オペレータからのカール方向と強度の入力、あるいは、矯正方向と強度の入力を操作表示部１０３を介して受け付け、図１５のように、最終的なカール矯正方向・強度を決定する。なお、図１５の制御説明図において、図５の制御説明図と異なる制御状態の部分には下線を表示してある。この場合、図１４での第１デカーラ１９０と第２デカーラ３９０との位置が図１−３と異なるため、第１デカーラ１９０の制御は第１反転の影響を受けずに第２反転の影響を受け、第２デカーラ３９０の制御は第２反転の影響を受けなくなり、図１５のカール矯正方向が図５とは逆転する場合がある。
【００９０】
このような制御により、第１デカーラ１９０と第２デカーラ３９０とは、カールの矯正強度の調整機能を有していないが、２つのデカーラの使用有無を含む矯正方向の切り替えパターンを制御することにより、カール方向だけでなくカール強度についての対処可能になるため、矯正強度を調整するような複雑なデカーラを使用することなく、矯正強度を含めた適切なカール矯正を実行することができる。
【００９１】
〔画像形成システムの構成例（２−１）〕
ここで、画像形成システムの第２実施形態の構成（２−１）を図１６に示す。なお、以上の第１実施形態では、２台の画像形成装置を有するタンデム画像形成システムを具体例としていたが、この第２実施形態では１台の画像形成装置と用紙処理装置を有する画像形成システムを具体例とする。
【００９２】
この図１６の構成は、画像形成装置１００、第１デカーラ１９０、反転装置２００、第２デカーラ３９０、用紙処理装置５００、が用紙の流れに沿って配置されている。なお、第１デカーラ１９０を、図２に示したように画像形成装置１００に内蔵させることも可能である。すなわち、画像形成装置１００と用紙処理装置５００を有する画像形成システムにおいて、反転装置とデカーラとを備えた構成になっている。
【００９３】
〔画像形成システムの動作例（２−１）〕
以上の画像形成システムの構成（２−１）についての動作（２−１）を、図１７の制御説明図を参照して説明する。
【００９４】
図１７は、出力された用紙のカール方向・カール強度、用紙のカール矯正方向・矯正強度、反転の有無、以上のパラメータにより決定される第１デカーラ１９０でのカール矯正方向、以上のパラメータにより決定される第２デカーラ３９０でのカール矯正方向、といった制御状態を一覧として示す制御説明図である。
【００９５】
このカール矯正では、カール強度が強であれば２つの第１デカーラ１９０と第２デカーラ３９０を共に使用し、カール強度が弱であれば上流側の第１デカーラ１９０のみを使用するように制御する。また、反転装置による反転が行われない場合にはデカーラの矯正方向はカール矯正方向に一致し（図１７の上から５段目〜８段目）、反転装置２００による反転の影響を受ける第１デカーラ１９０の矯正方向はカール矯正方向と反対になる（図１７の上から１段目〜４段目）。
【００９６】
すなわち、制御部１０１は、オペレータからのカール方向と強度の入力、あるいは、矯正方向と強度の入力を操作表示部１０３を介して受け付け、図１７のように、最終的なカール矯正方向・強度を決定する。
【００９７】
このような制御により、第１デカーラ１９０と第２デカーラ３９０とは、カールの矯正強度の調整機能を有していないが、２つのデカーラの使用有無を含む矯正方向の切り替えパターンを制御することにより、カール方向だけでなくカール強度についての対処可能になるため、矯正強度を調整するような複雑なデカーラを使用することなく、矯正強度を含めた適切なカール矯正を実行することができる。
【００９８】
〔画像形成システムの構成例（２−２）〕
ここで、画像形成システムの第２実施形態の第２の構成（２−２）を図１８に示す。なお、この図１８の構成は、画像形成装置１００、第１デカーラ１９０、反転装置２００、第２デカーラ３９０、用紙処理装置５００、反転装置４００、が用紙の流れに沿って配置されている。なお、第１デカーラ１９０を、図２に示したように画像形成装置１００に内蔵させることも可能である。すなわち、画像形成装置１００と用紙処理装置５００を有する画像形成システムにおいて、反転装置とデカーラとを備えた構成になっている。
【００９９】
〔画像形成システムの動作例（２−２）〕
以上の画像形成システムの構成（２−２）についての動作（２−２）を、図１９の制御説明図を参照して説明する。
【０１００】
図１９は、出力された用紙のカール方向・カール強度、用紙のカール矯正方向・矯正強度、第１反転の有無、第２反転の有無、以上のパラメータにより決定される第１デカーラ１９０でのカール矯正方向、以上のパラメータにより決定される第２デカーラ３９０でのカール矯正方向、といった制御状態を一覧として示す制御説明図である。
【０１０１】
このカール矯正では、カール強度が強であれば２つの第１デカーラ１９０と第２デカーラ３９０を共に使用し、カール強度が弱であれば上流側の第１デカーラ１９０のみを使用するように制御する。
【０１０２】
ここで、図１９の上から１３段目〜１６段目部分は全く反転が実行されないため、デカーラの矯正方向はカール矯正方向に一致し、図１７の上から５段目〜８段目部分と等しいデカーラ制御になる。
【０１０３】
また、ここで、図１９の上から１段目〜４段目部分は２つのデカーラに挟まれた１つの反転のみが実行されるため、１つの反転装置による反転の影響を受けるデカーラの矯正方向はカール矯正方向と反対になり、図１７の上から１段目〜４段目部分と等しいデカーラ制御になる。
【０１０４】
また、ここで、図１９の上から５段目部分〜下から５段目部分の範囲では、第１反転は有又は無であり第２反転は有であり、１つの反転装置による反転の影響を受けるデカーラの矯正方向はカール矯正方向と反対になり、２つの反転装置による反転の影響を受けるデカーラの矯正方向はカール矯正方向と一致する。
【０１０５】
すなわち、制御部１０１は、オペレータからのカール方向と強度の入力、あるいは、矯正方向と強度の入力を操作表示部１０３を介して受け付け、図１９のように、最終的なカール矯正方向・強度を決定する。
【０１０６】
このような制御により、第１デカーラ１９０と第２デカーラ３９０とは、カールの矯正強度の調整機能を有していないが、２つのデカーラの使用有無を含む矯正方向の切り替えパターンを制御することにより、カール方向だけでなくカール強度についての対処可能になるため、矯正強度を調整するような複雑なデカーラを使用することなく、矯正強度を含めた適切なカール矯正を実行することができる。
【０１０７】
〔画像形成システムの構成例（２−３）〕
ここで、画像形成システムの第２実施形態の第３の構成（２−３）を図２０と図２１とに示す。
【０１０８】
なお、この図２０の構成は、画像形成装置１００、第１デカーラ１９０、第２デカーラ３９０、反転装置２００、用紙処理装置５００、が用紙の流れに沿って配置されている。また、この図２１の構成は、画像形成装置１００、第１デカーラ１９０、第２デカーラ３９０、用紙処理装置５００、反転装置２００、が用紙の流れに沿って配置されている。なお、第１デカーラ１９０を、図２に示したように画像形成装置１００に内蔵させることも可能である。すなわち、画像形成装置１００と用紙処理装置５００を有する画像形成システムにおいて、反転装置とデカーラとを備えた構成になっている。
【０１０９】
〔画像形成システムの動作例（２−３）〕
以上の画像形成システムの構成（２−３）についての動作（２−３）を、図２２の制御説明図を参照して説明する。
【０１１０】
図２２は、出力された用紙のカール方向・カール強度、用紙のカール矯正方向・矯正強度、反転の有無、以上のパラメータにより決定される第１デカーラ１９０でのカール矯正方向、以上のパラメータにより決定される第２デカーラ３９０でのカール矯正方向、といった制御状態を一覧として示す制御説明図である。
【０１１１】
このカール矯正では、カール強度が強であれば２つの第１デカーラ１９０と第２デカーラ３９０を共に使用し、カール強度が弱であれば上流側の第１デカーラ１９０のみを使用するように制御する。
【０１１２】
また、反転装置による反転が行われない場合にはデカーラの矯正方向はカール矯正方向に一致し（図２２の上から５段目〜８段目部分）、反転装置による反転の影響を受けるデカーラの矯正方向はカール矯正方向と反対になる（図２２の上から１段目〜４段目部分）。
【０１１３】
すなわち、制御部１０１は、オペレータからのカール方向と強度の入力、あるいは、矯正方向と強度の入力を操作表示部１０３を介して受け付け、図２２のように、最終的なカール矯正方向・強度を決定する。
【０１１４】
このような制御により、第１デカーラ１９０と第２デカーラ３９０とは、カールの矯正強度の調整機能を有していないが、２つのデカーラの使用有無を含む矯正方向の切り替えパターンを制御することにより、カール方向だけでなくカール強度についての対処可能になるため、矯正強度を調整するような複雑なデカーラを使用することなく、矯正強度を含めた適切なカール矯正を実行することができる。
【０１１５】
〔画像形成システムの構成例（２−４）〕
ここで、画像形成システムの第２実施形態の第４の構成（２−４）を図２３に示す。なお、この図２３の構成は、画像形成装置１００、第１デカーラ１９０、第２デカーラ３９０、反転装置２００、用紙処理装置５００、反転装置４００、が用紙の流れに沿って配置されている。
【０１１６】
〔画像形成システムの動作例（２−４）〕
以上の画像形成システムの構成（２−４）についての動作（２−４）を、図２４の制御説明図を参照して説明する。
【０１１７】
図２４は、出力された用紙のカール方向・カール強度、用紙のカール矯正方向・矯正強度、第１反転の有無、第２反転の有無、以上のパラメータにより決定される第１デカーラ１９０でのカール矯正方向、以上のパラメータにより決定される第２デカーラ３９０でのカール矯正方向、といった制御状態を一覧として示す制御説明図である。
【０１１８】
このカール矯正では、カール強度が強であれば２つの第１デカーラ１９０と第２デカーラ３９０を共に使用し、カール強度が弱であれば上流側の第１デカーラ１９０のみを使用するように制御する。
【０１１９】
ここで、第１反転と第２反転との両方が行われる場合と、反転装置による反転が全く行われない場合とは、デカーラの矯正方向はカール矯正方向に一致する（図２４の上から９段目〜１２段目、１３段目〜１６段目部分）。
【０１２０】
また、第１反転と第２反転とのいずれか一方のみが行われる場合は、デカーラの矯正方向はカール矯正方向と反対になる（図２４の上から１段目〜４段目部分、上から５段目〜８段目部分）。
【０１２１】
すなわち、制御部１０１は、オペレータからのカール方向と強度の入力、あるいは、矯正方向と強度の入力を操作表示部１０３を介して受け付け、図２４のように、最終的なカール矯正方向・強度を決定する。
【０１２２】
このような制御により、第１デカーラ１９０と第２デカーラ３９０とは、カールの矯正強度の調整機能を有していないが、２つのデカーラの使用有無を含む矯正方向の切り替えパターンを制御することにより、カール方向だけでなくカール強度についての対処可能になるため、矯正強度を調整するような複雑なデカーラを使用することなく、矯正強度を含めた適切なカール矯正を実行することができる。
【０１２３】
〔画像形成システムの構成例（２−５）〕
ここで、画像形成システムの第２実施形態の第５の構成（２−５）を図２５に示す。なお、この図２５の構成は、画像形成装置１００、反転装置２００、第１デカーラ１９０、第２デカーラ３９０、用紙処理装置５００、が用紙の流れに沿って配置されている。なお、第１デカーラ１９０を、図２に示したように画像形成装置１００に内蔵させることも可能である。すなわち、画像形成装置１００と用紙処理装置５００を有する画像形成システムにおいて、反転装置とデカーラとを備えた構成になっている。
【０１２４】
〔画像形成システムの動作例（２−５）〕
以上の画像形成システムの構成（２−５）についての動作（２−５）を、図２６の制御説明図を参照して説明する。
【０１２５】
図２６は、出力された用紙のカール方向・カール強度、用紙のカール矯正方向・矯正強度、反転の有無、以上のパラメータにより決定される第１デカーラ１９０でのカール矯正方向、以上のパラメータにより決定される第２デカーラ３９０でのカール矯正方向、といった制御状態を一覧として示す制御説明図である。
【０１２６】
このカール矯正では、カール強度が強であれば２つの第１デカーラ１９０と第２デカーラ３９０を共に使用し、カール強度が弱であれば上流側の第１デカーラ１９０のみを使用するように制御する。なお、第１デカーラ１９０と第２デカーラ３９０とは共に反転装置２００の後段であって反転の影響を受けないため、デカーラの矯正方向はカール矯正方向に一致する（図２２の上から１段目〜４段目、５段目〜８段目部分）。
【０１２７】
すなわち、制御部１０１は、オペレータからのカール方向と強度の入力、あるいは、矯正方向と強度の入力を操作表示部１０３を介して受け付け、図２６のように、最終的なカール矯正方向・強度を決定する。
【０１２８】
このような制御により、第１デカーラ１９０と第２デカーラ３９０とは、カールの矯正強度の調整機能を有していないが、２つのデカーラの使用有無を含む矯正方向の切り替えパターンを制御することにより、カール方向だけでなくカール強度についての対処可能になるため、矯正強度を調整するような複雑なデカーラを使用することなく、矯正強度を含めた適切なカール矯正を実行することができる。
【０１２９】
〔画像形成システムの構成例（２−６）〕
ここで、画像形成システムの第２実施形態の第６の構成（２−６）を、図２７と図２８とに示す。なお、この図２７の構成は、画像形成装置１００、反転装置２００、第１デカーラ１９０、第２デカーラ３９０、反転装置４００、用紙処理装置５００、が用紙の流れに沿って配置されている。また、図２８の構成は、画像形成装置１００、反転装置２００、第１デカーラ１９０、第２デカーラ３９０、用紙処理装置５００、反転装置４００、が用紙の流れに沿って配置されている。
【０１３０】
〔画像形成システムの動作例（２−６）〕
以上の画像形成システムの構成（２−６）についての動作（２−６）を、図２９の制御説明図を参照して説明する。
【０１３１】
図２９は、出力された用紙のカール方向・カール強度、用紙のカール矯正方向・矯正強度、第１反転の有無、第２反転の有無、以上のパラメータにより決定される第１デカーラ１９０でのカール矯正方向、以上のパラメータにより決定される第２デカーラ３９０でのカール矯正方向、といった制御状態を一覧として示す制御説明図である。
【０１３２】
このカール矯正では、カール強度が強であれば２つの第１デカーラ１９０と第２デカーラ３９０を共に使用し、カール強度が弱であれば上流側の第１デカーラ１９０のみを使用するように制御する。
【０１３３】
ここで、反転装置２００は第１デカーラ１９０よりも前段に位置しており、反転装置２００の反転有無は第１デカーラ１９０の制御に影響を与えることがないため、第２反転が行われない場合と、第１反転も第２反転も全く行われない場合とは、デカーラの矯正方向はカール矯正方向に一致する（図２９の上から９段目〜１２段目、１３段目〜１６段目部分）。また、少なくとも第２反転が行われる場合は、デカーラの矯正方向はカール矯正方向と反対になる（図２９の上から１段目〜４段目部分、上から５段目〜８段目部分）。
【０１３４】
すなわち、制御部１０１は、オペレータからのカール方向と強度の入力、あるいは、矯正方向と強度の入力を操作表示部１０３を介して受け付け、図２９のように、最終的なカール矯正方向・強度を決定する。
【０１３５】
このような制御により、第１デカーラ１９０と第２デカーラ３９０とは、カールの矯正強度の調整機能を有していないが、２つのデカーラの使用有無を含む矯正方向の切り替えパターンを制御することにより、カール方向だけでなくカール強度についての対処可能になるため、矯正強度を調整するような複雑なデカーラを使用することなく、矯正強度を含めた適切なカール矯正を実行することができる。
【０１３６】
〔他の実施形態（１）〕
以上の各具体例での説明では、画像形成装置１００の操作表示部１０３において、図９に示したように、排出紙のカール（あるいは矯正）方向と、カール（あるいは矯正）の強度とをオペレータが入力するようにしていたが、これに限定されるものではない。
【０１３７】
例えば、操作表示部１０３において排出紙のカール（あるいは矯正）方向のみを入力する構成であっても構わない。この場合、出力される用紙のカール（あるいは矯正）方向をオペレータが入力することにより、ジョブの設定情報から取得した用紙の反転の有無に応じて制御部１０１がデカーラの矯正方向を制御することで、オペレータが用紙反転に基づいた矯正方向を判断することなく、適切なカール矯正を実行することが可能である。
【０１３８】
〔他の実施形態（２）〕
以上の説明では、画像形成装置１００の操作表示部１０３に各種画面を表示して用紙カール矯正の制御を行うようにしていたが、これに限定されるものではなく、画像形成装置１００とネットワーク接続された外部ＰＣの表示画面を表示部や操作表示部として使用することが可能である。また、同様に、オペレータが所持する携帯端末の表示部に対して、制御部１０１は情報を通知して入力を受け付けるような制御を行っても良い。
【０１３９】
〔他の実施形態（３）〕
以上の実施形態において、画像形成システムの構成は一例であり、３以上の画像形成装置、３以上の反転機構、３以上のデカーラを有するような構成であっても、以上の処理を応用することで対処可能である。
【符号の説明】
【０１４０】
５０  給紙装置
１００  画像形成装置
１９０  第１デカーラ
２００  反転装置
３００  画像形成装置
３９０  第２デカーラ
４００  反転装置
５００  用紙処理装置
【図１】
2014213970.tif 000003
【図２】
2014213970.tif 000004
【図３】
2014213970.tif 000005
【図４】
2014213970.tif 000006
【図５】
2014213970.tif 000007
【図６】
2014213970.tif 000008
【図７】
2014213970.tif 000009
【図１０】
2014213970.tif 000010
【図１１】
2014213970.tif 000011
【図１２】
2014213970.tif 000012
【図１３】
2014213970.tif 000013
【図１４】
2014213970.tif 000014
【図１５】
2014213970.tif 000015
【図１６】
2014213970.tif 000016
【図１７】
2014213970.tif 000017
【図１８】
2014213970.tif 000018
【図１９】
2014213970.tif 000019
【図２０】
2014213970.tif 000020
【図２１】
2014213970.tif 000021
【図２２】
2014213970.tif 000022
【図２３】
2014213970.tif 000023
【図２４】
2014213970.tif 000024
【図２５】
2014213970.tif 000025
【図２６】
2014213970.tif 000026
【図２７】
2014213970.tif 000027
【図２８】
2014213970.tif 000028
【図２９】
2014213970.tif 000029
【図８】
2014213970.tif 000030
【図９】
2014213970.tif 000031